(57)【特許請求の範囲】
【請求項１】
荷重がかかるケーブル（３）を受容すべく刻み込まれたケーブル溝（１２）を少なくとも一つ有する保持ドラム（１０）を備えている、合成繊維ケーブル、特にエレベータ用ケーブル（３）用のケーブル締結装置であって、前記少なくとも一つの保持ドラム（１０）がエレベータのかご（２）又は釣合いおもり（７）あるいはその両方に堅固に接続されており、前記ケーブル（３）の送出のために溝筋（１６）が互いに並行して終了あるいは終端する複数のケーブル溝（１２）が、一つ又は複数の保持ドラム（１０）上に互いに並行に配置されており、前記ケーブル溝（１２）の断面積が、負荷のかかったケーブルの進入点から徐々に減少することを特徴とするケーブル締結装置。
【請求項２】
複数の保持ドラム（１０）が一列又は並行に配置され、前記ケーブル溝（１２）の送出域（１３）が夫々対向していることを特徴とする請求項１に記載のケーブル締結装置。
【請求項３】
ケーブル溝（１２''''）が、複数回積み重ねて巻いたケーブル（３）を受け入れることを特徴とする請求項１又は２に記載のケーブル締結装置。
【請求項４】
同軸状に配置したケーブル溝（１２）にはケーブル（３）が逆ねじの向きに半分ずつ巻かれていることを特徴とする請求項１又は２に記載のケーブル締結装置。
【請求項５】
前記ケーブル（３）の無負荷端部（３）が、横向圧力、特に締結ブラケット（１５）により前記ケーブル溝（１２）内に保持されることを特徴とする請求項１から４のいずれか一項に記載のケーブル締結装置。
【請求項６】
前記ケーブル（３）は脱落しないように前記ケーブル溝（１２）内において保護ブラケット（１７）により固定されていることを特徴とする請求項１から５のいずれか一項に記載のケーブル締結装置。
【請求項７】
同軸状に配置された保持ドラム（１０''）が夫々旋回方向が異なるケーブル溝（１２''）を備えており、前記固定されたケーブル端が夫々前記保持ドラム（１０''）における互いに隔たった端部に向かって移動するように前記ケーブル（３）が前記ケーブル溝内において同一方向に巻かれていることを特徴とする請求項１から６のいずれか一項に記載のケーブル締結装置。
【請求項８】
互いに並行に配置した保持ドラム（１０''）が、旋回方向の異なるケーブル溝（１２''）を備えており、このケーブル溝において前記ケーブル（３）の巻き方向が異なることを特徴とする請求項１から７のいずれか一項に記載のケーブル締結装置。
【請求項９】
前記ケーブル溝を前記保持ドラム（１０）上にある螺旋状の溝（１２）として配置することを特徴とする請求項１から８のいずれか一項に記載のケーブル締結装置。
【請求項１０】
前記ケーブル溝（１２）を、一点を中心とする平面上の渦巻状溝として形成することを特徴とする請求項１から８のいずれか一項に記載のケーブル締結装置。
【発明の詳細な説明】
【０００１】
【発明の属する技術分野】
本発明は、請求項１に記載の合成繊維ケーブル用ケーブル締結装置を出発点とする。
【０００２】
【従来の技術】
空中マスト又は伸縮マストの支持用ケーブル締結装置は、台板に固定され、ねじ状に切削加工された凹部を有する丸棒を具備する装置であって、すでにＤＥ  ３４  ０３  １０１  Ｃ１により周知なものとなっている。このケーブル締結装置はシングル・ケーブルにのみ適合するものであり、ケーブルの直径に比べて各延長方向に構造が比較的大型でかさばる。
【０００３】
エレベータ装置等の用途では、非常に長いケーブルが必要であると同時に、エネルギ上の理由から小さい移動質量が必要になる。一次元伸長性分子鎖及び保護ポリウレタン・スリーブからなる高張力繊維ケーブルはこの必要条件を両方共満たし、軽量で直径が小さく引張強さが大きい。これらの高張力ケーブルは、クランプ又は押圧によって生じる小さな横向力だけを吸収し、引張強さが低下することがない。
【０００４】
【発明が解決しようとする課題】
ところで、エレベータ構造物では、複数のケーブルを並行に近接させて固定しなければならない。例えば釣合いおもりには、ケーブルを固定するのに普通は幅１０〜１５センチの狭小な表面しかない。既知のケーブル締結装置は形状が大きいため、このようなスペース上の制約がある場合には使用できない。ケーブル締結装置を突出させるとケーブル素線が末広がりになり、その結果、ケーブル及びケーブル溝が極端に摩耗し、エレベータのかご又は釣合いおもりが駆動プーリ又は偏向ローラに接近する場合には特に摩耗が激しくなる。
【０００５】
【課題を解決するための手段】
特許請求の範囲にその特徴を述べた本発明は、既知の装置の欠点を解消すると共に、合成繊維ケーブルに適合し、近接して並行する多数のケーブルを確実に固定できる重負荷用ケーブル締結装置を実現するという課題を解決するものである。本発明のケーブル接続部は特に、重負荷を狭小な搭載域に固定しなければならないエレベータ構造物における前記要件を満たす。
【０００６】
本発明によって達成される特長は、固定したケーブルが隣接する駆動プーリ溝上を大きな偏向を生じることなく相互に並行して走行できる点にある。特にかご又は釣合いおもりが駆動プーリに最も接近する場合、全てのケーブルに均等な負荷がかかり、横方向の力がまったく発生しない。横方向の力が作用すると、特に外部にあるケーブルの場合、駆動プーリからケーブルが外れる可能性がある。
【０００７】
シャフトの伸張方向の長さが短い構造では、シャフトの長さを十分に活用できることやシャフトの高さを増加させる必要がないという利点もある。
【０００８】
更に、ケーブル溝内のポリウレタン・スリーブの摩擦係数が大きいことを利用してケーブルの張力の大部分をケーブル締結装置により吸収し、又、ケーブルにはクランプによる応力がかからないため、特にケーブルがケーブル溝の離脱域に入る場合に繊維の方向に対して横向きに加わる移動力が減少する。被覆していない合成繊維ケーブルを保護覆膜を切り開いたり痛めたりしないで固定できるという利点もある。
【０００９】
本発明の実施例をいくつか図示し、以下詳しく説明する。
【００１０】
【発明の実施の形態】
図１によれば、シャフト１内を移動するかご２は、モータ４に接続した駆動プーリ５の上を走行する合成繊製の複数のケーブル３に吊り下げられている。ケーブルの一端を固定したケーブル締結装置６はかご２の上に位置している。ケーブル３の他端は夫々同様に釣合いおもり７に固定されていて、釣合いおもり７もかごと同じくシャフト１の内部を移動する。駆動プーリ５は相互に近接して並行する溝８を６本備えており、溝は夫々各ケーブルに対応している。エレベータ構造物においては通常、駆動プーリに溝が２〜１２本ついている。最上階でかご２は駆動プーリに最接近する。すなわち、ケーブル締結装置６が駆動プーリ５の直下に位置するようになる。かごが一番下の階で停止すると、釣合いおもり７の上部側に取り付けられたケーブル締結装置６が駆動プーリ５の直下にくる。
【００１１】
図２は、ケーブル締結装置６の詳細を示している。明瞭にわかるように、図２では、ケーブル３の一部だけを示してある。円筒状保持ドラム１０は、移動も回転もしないように、屈曲した金属保持プレート１１を介して、例えばこの図では釣合いおもり７にねじ止めしてあり、図２では紙面に対して垂直に延びているケーブルの方向に対してこれを横切るように配置されている。３本の相互に隣接したケーブル溝１２は同様な螺旋状の溝として形成してあり、保持ドラムの全長にわたって延びている。このような形状のため製作が容易になる。夫々３本のケーブルからなる各ケーブル群１４は、保持ドラムの中央の離脱域１３から保持ドラムの両端に向かってケーブル溝１２に巻き付けられている。従って、ケーブル群１４は双方とも相互にある間隔を置いて保持ドラム１０の裏側から延びている。保持ドラム１０の中心軸に対して横から見ると、ケーブル３は相互に並行し、相互に並行した溝が６本ある駆動プーリ上を走行する。
【００１２】
保持ドラム１０の中央部にあるケーブル３の進入点、すなわち離脱点でのケーブル溝１２の幅はケーブルの直径に対応している。従って、移動力を減少させるところのケーブルの横方向への押圧が防止される。ケーブル溝１２は負荷のかかったケーブルの進入点から徐々に断面が減少し、その結果、ケーブルは横方向に次第に強く締結されるようになって張力が減少する。図２では、単純化するため、断面積の連続的な減少を段差の変化として示してある。無負荷のケーブル端は締結ヨーク１５でケーブル溝内に固定してあり、このヨークは保持ドラムの端面から吊り下げられ、ケーブル溝１２の最初のねじ山形状順路１６が終了したところで保持ドラムにねじで固定されている。締結ブラケット１５は保護ブラケット１７によって延長され、この保護ブラケットは、できるだけ広い範囲にわたって軽く固定してあり、保持ドラムの軸方向に延び、ケーブル３を押圧することなくこのケーブルを横断している。保護ブラケットはケーブル３に張力がかからなくなった場合にケーブル溝１２からケーブル３が離脱するのを防止している。
【００１３】
本実施例においては、保持ドラムに有効な溝筋１６を三周半にわたって設けている。負荷の大きさ及び摩擦の状態によっては溝筋１６の巻数を増減することもできる。本実施例では、ケーブルが２本の単純なエレベータに対して両端からケーブルが巻きつく螺旋状の溝１本あれば十分であるものと見なして差し支えない。
【００１４】
ケーブル３の有効張力は、関連するケーブル溝１２内の摩擦によって連続的に保持ドラム１０に伝達される。合成繊維ケーブル１３は、ケーブル溝１２が狭小になるに従って横方向に次第に強く締結されていく。横方向の力は、張力が減少するにつれて保持ドラム１０内で徐々に強くなるが、局所的には非常に小さい状態にとどまっていてケーブル３の初期の張力は減少しない。
【００１５】
張力によってケーブル３が伸長する場合は、ケーブル３の少なくとも一部を保持ドラム１０からほどき、その後ケーブルを短くして再度ドラムに巻きつけることにより容易に張力を高めることができる。この作業に工具は必要ない。突出したケーブル端は単に切り落とす。
【００１６】
図３の第二の実施例において、ケーブル締結装置６' は、保持ドラム１０' 一つだけからなっている。このドラムには螺旋状のケーブル溝１２' が４本あって、ドラムの左右半分の夫々の上で相互に並行している。ケーブル溝４本からなる夫々のケーブル群は溝の旋回方向が異なり、その結果、ケーブル３が全て並行し、一直線状になって保持ドラム１０' から離脱し、モータ４に接続した駆動プーリ５に相互に一定の間隔をおいて巻き付く。ケーブル３は、締結ブラケット１５で固定されると共に保護ブラケット１６で保護されている。
【００１７】
第三の実施例は、保持ドラム１０''を２個又は４個を配設することにより、保持ドラム１０''が長くなりすぎないようにして、事実上、希望の数のケーブル３がケーブル締結装置６から互いに並行して離脱できるようにする方法を示している。図４のケーブル締結装置６''の場合、保持ドラム１０''が２個、相前後して同軸状に配置してあり、対になったこのような保持ドラムが２組並行に設置してある。各保持ドラム１０''にケーブル３が３本巻き付けてあり、従って、ケーブル３は全部で１２本ある。同軸状に配置した保持ドラム１０''は旋回方向が異なる螺旋状ケーブル溝１２''を備え、ケーブル３は保持ドラム１０''の対向する端部に向かうように同一の巻き方向に巻き取られる。同じく相互に並行に配置した保持ドラム１０''は、旋回方向の異なるケーブル溝１２''を備えているが、ケーブル３の巻き方向は逆向きである。以上により、保持ドラム１０''全てのケーブル溝１２''の離脱域１３''が相互に向かい合いになる。従って、ケーブル３は全て並行に離脱し、ほぼ同一線上を走行する。
【００１８】
合成繊維ケーブル３の曲率半径が剛性に従ってケーブルの直径のわずかに１〜６倍になるため、必要な場合には個々の保持ドラム１０''を非常に薄い構造にすることができる。よって、ケーブル締結装置６は、釣合いおもり及びかごの寸法やスペースの個々の条件に合わせることができる。
【００１９】
第四の実施例によるケーブル締結装置６''' は、螺旋状の溝（１２''' ）を備え、この溝は一点の周りを旋回する平面上の曲線として形成される。この場合、保持ドラム１０''' は円形平板であり、ケーブル溝１２''' が一方の端面にフライス加工されていて、その断面が徐々に小さくなる。接触している次の保持ドラム１０''' もフタ１８の代わりとなることがある。負荷のかかっていないケーブル端部はブラケット１５''' によって固定されている。ケーブル端を保持ドラム１０''' の中央開口部１９又はフタ１８の中央通路２０に通すと、張力を簡単に増加させることができる。中央通路２０は、フタ１８を取り外さなくても締結ブラケット１５''' のねじに都合よく手が届くような大きさにしてある。従って、張力を高めるにはフタ１８は緩めるだけでよく、取り外す必要はない。
【００２０】
ケーブル締結装置６''' には、極めて小さな構造物であるという利点があるが、シャフト方向の全高が上に説明した実施例よりもいくぶん高くなっている必要がある。
【００２１】
円板状の保持ドラム１０''' は、例えば第三の実施例のように四つのドラムからなるドラム群として構成してある。ケーブルが４本以上必要な場合は、複数の保持ドラム１０''' を駆動プーリ５の溝幅一つ分だけ夫々傾けて、相互に並行に配置し、円板に対して横方向に見た場合にケーブルが並行になるようにする。
【００２２】
図６の第５の実施例は構造的に特に簡単で経済的な作りになっているケーブル締結装置６''''を示している。相互に隣接する二つの保持ドラム１０''''は、２枚の円板２１から構成されている。この２枚の円板は結合されて一体になっていることが望ましい。２枚の円板の間には、外側に向かってわずかに広がっているケーブル溝１２''''が配設してある。ケーブル３はこの溝の中にうず巻き状に巻き取られる。ケーブル溝１２''''は、ケーブルの進入点から内部に向かって連続的に狭くなり、ケーブル３の内部部分のみを斜めに締結する。ケーブルは積み重ねて巻かれているため、最も内部に巻かれたケーブルに最大の圧力がかかる。最も外側に巻かれたケーブルには最大の負荷がかかり、従って、横方向にはまったく押圧されないか又は軽く押圧されるだけである。
【００２３】
保持ドラム１０''''は、保持ブラケット２３と結合して固定してある円錐体２２に対して軸方向に押圧される。保持ドラム１０''''は保持ブラケット２３にねじ２４で止めて堅固に固定する。図７に略図を示したように、保持ドラム１０''''は２個又は希望の個数だけオフセット毎に隣接して配置する。
【００２４】
ケーブルの張力を高めるには、ねじ２４を緩め、保持ドラム１０''''を円錐体２２からいくぶん持ち上げるだけでよい。こうすれば、ケーブルに張力がかかるまで保持ドラム１０''''を回転させることができる。この場合、駆動プーリの溝の方向に対して横方向になるケーブル３の離脱点を変更することなく、ケーブル３を保持ドラム１０''''に更に巻き取ることができる。
【００２５】
第一の実施例に関する機能の説明は、それ以外の実施例にも同様に当てはまる。例えば一体になった保持ドラムや二つの部分からなる保持ドラム又は関連させて配置した保持ドラム等の実施例の個々の特徴は、その他の実施例の特徴と相互に入れ替え可能であることは明らかである。
【図面の簡単な説明】
【図１】かご及び釣合いおもりのついたエレベータ装置の略立面図である。
【図２】第一の実施例によるケーブル締結装置の拡大平面図である。
【図３】ケーブル締結装置の第二の実施例の側面図である。
【図４】ケーブル締結装置の第三の実施例の略平面図である。
【図５】ケーブル締結装置の第四の実施例である。
【図６】ケーブル締結装置の第五の実施例である。
【図７】同じく、ケーブル締結装置の第五の実施例である。
【符号の説明】
２  かご
３  ケーブル
１０  ドラム
１２  ケーブル溝
１５  締結ブラケット
１６  溝筋
１７  保護ブラケット
【図１】
0003701059.tif 000002
【図２】
0003701059.tif 000003
【図３】
0003701059.tif 000004
【図４】
0003701059.tif 000005
【図５】
0003701059.tif 000006
【図６】
0003701059.tif 000007
【図７】
0003701059.tif 000008